(57)【要約】【課題】既存のアフィリエイト広告モデルのコンピューティング環境をそのまま利用して新しいアフィリエイト広告モデルのサービスを付加する。【解決手段】アフリエイター文書の閲覧者が文書中の任意の文字列を選択すると、ショートカットメニューと同様な態様で、リンク先メニューを表示させる。このリンク先メニューには、広告主システムにリンクする広告主リンクが含まれている。閲覧者がリンク先メニュー中の広告主リンクをクリックすると、広告主リンクに紐付けされた広告主システムの商品データベースを選択文字列で検索することを指示するクエリーが利用者端末から広告主システムに送信され、これに応答し、商品データベースの検索結果が広告主システムから利用者端末に送られてきて表示される。【選択図】図１
2019003287.tif 000002
【特許請求の範囲】
【請求項１】
つぎの事項（１）〜（７）により特定される方法。
（１）アフィリエイトサービスプロバイダ（ＡＳＰ）システムと、アフリエイターにより発信された文書情報（アフィリエイト文書）を閲覧する利用者端末と、広告主により運用される広告主システムとが連携して実施するコンピューティングの方法であること
（２）アフィリエイト文書が表示された利用者端末において特定プログラムは、アフィリエイト文書の閲覧者が文書中の文字列を選択した際にリンク先メニューを文書画像に付加表示すること
（３）リンク先メニューには、広告主システムにリンクする広告主リンクが１つ以上含まれていること
（４）利用者端末Ａにおいてアフィリエイト文書Ｂ中の文字列Ｃが選択されて広告主リンクＤが指定されると、特定プログラムは、この閲覧者の行動内容を報告する閲覧行動報告電文ＥをＡＳＰシステムに送信すること
（５）閲覧行動報告電文Ｅを受信したＡＳＰシステムは、ユニークなトラッキングキーを生成して利用者端末Ａに送信するとともに、閲覧行動内容を示すデータと当該トラッキングキーを対応づけした誘導記録を生成して保存すること
（６）トラッキングキーを受信した利用者端末Ａにおいて特定プログラムは、広告主リンクＤに紐付けされた広告主システムの商品データベースを文字列Ｃで検索することを指示するクエリーを広告主システムに送信し、広告主システムから検索結果を受信して利用者端末Ａに表示すること
（７）ＡＳＰシステムは、広告主システムから直接または利用者端末経由でトラッキングキーを含む成果報告電文を受信した場合、保存してある誘導記録中からトラッキングキーが一致する誘導記録を抽出し、その誘導記録により特定されるアフリエイターに対して該当の広告主から成果報酬を支払うための処理を実行すること
【請求項２】
つぎの事項（８）により特定される請求項１に記載の方法。
（８）発明特定事項（２）のプロセスにおいて、特定プログラムは閲覧者による選択文字列をＡＳＰシステムに送信し、ＡＳＰシステムは受信した選択文字列に対応づけられたメニュー内容指定情報を特定プログラムに送達し、特定プログラムは当該メニュー内容指定情報に基づいてリンク先メニューを利用者端末に表示すること
【請求項３】
つぎの事項（９）により特定される請求項２に記載の方法。
（９）ＡＳＰシステムは、利用者端末から受信する閲覧行動報告電文および広告主システムから受信する成果報告電文の内容に基づいて、受信した選択文字列に対応するメニュー内容指定情報を決定するためのアルゴリズムを更新すること
【請求項４】
つぎの事項（10）により特定される請求項２または３に記載の方法。
（10）ＡＳＰシステムは、広告主サイトの所定ページへのリンク情報と文字列との対応づけを複数記述した広告リンクテーブルを備え、特定プログラムから受信した選択文字列が広告リンクテーブルのいずれかの文字列と一致した場合、当該一致した文字列に対応づけされた広告主サイトリンク情報を選択肢として含めたメニュー内容指定情報を特定プログラムに送達すること
【請求項５】
つぎの事項（11）により特定される請求項１に記載の方法。
（11）ＡＳＰシステムは、利用者端末から受信する閲覧行動報告電文および広告主システムから受信する成果報告電文の内容に基づいて、広告主別の選択文字列分析レポートまたはアフリエイター別の選択文字列分析レポートを作成すること
【請求項６】
つぎの事項（12）により特定される請求項１に記載の方法。
（12）特定プログラムは、利用者端末がアフィリエイト文書を取得した際、当該アフィリエイト文書に埋め込まれたタグの記述に従って利用者端末からＡＳＰシステムにプログラム要求が送信され、この要求に応じてＡＳＰシステムから利用者端末に送達されるものであること
【請求項７】
請求項６に記載のコンピューティングの方法を実施するようにプログラムされ、利用者端末に送信する特定プログラムを記憶しているＡＳＰシステム。
【請求項８】
つぎの事項（13）により特定される請求項１に記載の方法。
（13）特定プログラムは、アフィリエイト文書を閲覧するために利用者端末にインストールされるアプリケーションプログラムに含まれていること
【請求項９】
請求項８に記載のコンピューティングの方法を実施するために利用者端末にインストールされる、特定プログラムを含んだアプリケーションプログラム。
【請求項１０】
つぎの事項（14）により特定される請求項９に記載のアプリケーションプログラム。
（14）アプリケーションプログラムは、これが動作する利用者端末をインターネット上の特定サーバーと通信させ、特定サーバーからアフィリエイト文書を取得して表示させる処理を実行すること
【発明の詳細な説明】
【技術分野】
【０００１】
この発明は、成果報酬の受け手となるアフリエイターが発信したインターネット上の文書（アフリエイター発信文書とかアフィリエイト文書と記すことがある）をパソコンやスマートフォンやタブレット端末などで閲覧する人が文書中の文字列を選択した際に、成果報酬の提供元となる広告主のシステムにおける商品データベースをその選択文字列で検索するプロセスに誘導する、新規な仕掛けのアフリエイトサービスを実施するためのコンピューティングに関する。
【背景技術】
【０００２】
＝＝＝アフィリエイト広告の基本的な仕組み＝＝＝
出願人のようなアフィリエイトサービスプロバイダ（ＡＳＰ）が提供して広く普及している典型的なアフィリエイト広告モデルは、つぎのような仕組みのコンピューティングにより実施されている。
【０００３】
ＡＳＰシステムにアフリエイターとして登録した者は、広告媒体となるコンテンツをインターネットを通じて一般の人々の閲覧に供する。ＡＳＰシステムに広告主として登録した商人は、広告媒体に出稿したい広告情報をＡＳＰシステムに預ける。
【０００４】
一般の人々がパソコンやスマートフォンなど（利用者端末とする）で広告媒体コンテンツにアクセスした際、ＡＳＰシステムは、なんらかのアルゴリズムに従って選出した広告を広告媒体コンテンツに付加して利用者端末に表示させる。
【０００５】
閲覧者が表示上の広告を指定すると（便宜的にクリックとする）、ＡＳＰシステムは、ユニークなトラッキングキーを生成して利用者端末に送信するとともに、閲覧者の広告クリックに到る行動内容を特定するデータと当該トラッキングキーを対応づけしたクリック記録を生成して保存する。トラッキングキーを受信した利用者端末は、クリックした広告に紐付けされた広告主サイトにリダイレクトされる。この際、トラッキングキーを利用者端末から広告主サイトに伝えるトラッキング方式１と、伝えないトラッキング方式２が周知である。
【０００６】
こうして閲覧者は広告主サイトに誘導されて広告主の商品情報に接することとなり、たとえば当該サイトで閲覧者が商品購入の行為をすると、広告主システム（前記の広告主サイトを含んでいる）は広告成果ありと判定して、トラッキングキーを含む成果報告電文を生成してＡＳＰシステムに直接に送信するか（トラッキング方式１）、あるいは、利用者端末に送信する取引完了ページに埋め込んだタグにより利用者端末経由で成果報告電文をＡＳＰシステムに送達させる（トラッキング方式２）。
【０００７】
ＡＳＰシステムは、広告主システムから直接または利用者端末経由でトラッキングキーを含む成果報告電文を受信した場合、保存してあるクリック記録中からトラッキングキーが一致するクリック記録を抽出し、そのクリック記録により特定されるアフリエイターに対して該当の広告主から成果報酬を支払うための処理を実行する。
【０００８】
よく知られているように、上述したアフィリエイト広告モデルにおいては、さまざまな事業を営む商人が広告主となっており、広告主サイトで物品を通信販売する商人だけでなく、広告主サイトで保険商品を販売したり旅行の予約を受け付けるなどのサービス商品を取り扱う商人も広告主として活動している。そして、広告主が広告成果があったと判定するアルゴリズムも広告主商人の業態によっていろいろである。トラッキング方式および成果判定方式については、当業者に周知のいくつかのアルゴリズムが従来から実施されており、また下記の参考文献にも開示されている。
【０００９】
《参考文献１》特許第３８６３３６５号公報  ネットワーク広告配信管理システム及びネットワーク広告配信管理システムの管理サイト装置
《参考文献２》特許第３９６１２１３号公報  ユーザのアクティビティをトラッキングする電子商取引システム
《参考文献３》特許第４１６５９３７号公報  コマーシャルトラッキングシステム及び方法
《参考文献４》特許第４６４７４３９号公報  電子商取引においてユーザのアクティビティをトラッキングする方法、トラッキングサーバーサイト
《参考文献５》特許第４９６０８３５号公報  アフィリエイト広告管理装置及びアフィリエイト広告管理方法
《参考文献６》特許第５２１０７０７号公報  携帯アフィリエイト・トラッキングシステム
《参考文献７》特許第５２４０９０３号公報  アフィリエイト広告監視システム及び方法
《参考文献８》特許第５３５５１９８号公報  実店舗アフィリエイトシステムのコンピューティングの方法
【００１０】
＝＝＝ブラウザで閲覧することを前提とする実施態様＝＝＝
古くから普及している態様は、アフリエイターが発信する広告媒体コンテンツはウェブページであり、一般の閲覧者はInternet ExplorerやGoogle Chromeや Safariなどの汎用ブラウザによりウェブページを見るという態様である。この場合、広告媒体ページに所定のタグ（JavaScript（登録商標）などで記述されたプログラム）を埋め込んでおき、利用者端末ブラウザは広告媒体ページを表示する際、タグの記述に従ってＡＳＰシステムと通信して広告媒体ページに掲載する広告を配信してもらい、その後の広告クリックに応答した前述したプロセスを実行するようになっている。
【００１１】
＝＝＝アプリで閲覧することを前提とする実施態様＝＝＝
最近では、スマートフォンやタブレット端末にインストールしたニュースアプリからニュース配信サイトにアクセスして配信記事を閲覧するというような、汎用ブラウザを用いない態様でインターネット上のコンテンツを閲覧するコンピューティング利用が広まっている。この場合、ニュース配信サービスを実施する事業者がニュース配信サイトを運用するとともに、このサービスを利用するためのニュースアプリをAppStoreやGooglePlayなどのアプリケーションストアを通じて利用者に配布している。
【００１２】
たとえば、上記ニュース配信サービス事業者がＡＳＰにアフリエイターとして登録し、利用者端末アプリで閲覧するニュース記事にＡＳＰシステムから広告を配信してもらうという実施態様も増えてきた。この場合、利用者端末アプリで記事を表示する際にＡＳＰシステムと通信して広告を配信してもらう処理や、その後の広告クリックに応答した前記処理などは、当該ニュースアプリに組み込んであるプログラムモジュールによって実行される。
【発明の開示】
【００１３】
＝＝＝発明の概要＝＝＝
この発明を生みだすきっかけは、既存のアフィリエイト広告モデルを実施しているコンピューティング基盤をほぼそのまま活用し、既存モデルとは明らかに相違する新規なアフィリエイト広告モデルを実施しようと考えたことにある。
【００１４】
この発明に係る新規なアフィリエイト広告モデルの顕著な特徴の１つは、アフリエイター発信文書を利用者端末で閲覧する段階では、広告主サイトにリンクする広告は表示されず、広告媒体文書という概念がなくなっており、広告媒体文書を閲覧して当該文書上の広告をクリックして広告主サイトにリダイレクトするという既存モデルの導線がない点である。
【００１５】
この発明のアフィリエイト広告モデルのもう１つの顕著な特徴は、アフリエイター発信文書を閲覧する者のなんらかの行為に応答して利用者端末を導く先が、広告主サイトに存在する多数のウェブページのうちの所定の１ページ（ランディングページ）ではない点である。
【００１６】
この発明のモデルでは、上記における「なんらかの行為」とは、アフリエイター発信文書の閲覧者が文書中の任意の文字列を選択する行為である。周知のとおり選択文字列はハイライトされ、その状態でショートカットメニューを付加表示させることができ、選択文字列でヤフー検索やグーグル検索を実行したり、選択文字列をコピーしたりするようなコンピューティング要素は多くの人々によって日常的に用いられている。
【００１７】
この発明においては、アフリエイター発信文書の閲覧者が文書中の任意の文字列を選択すると、周知のショートカットメニューと同様な態様で、この発明によるリンク先メニューを表示させる。このリンク先メニューには、広告主システムにリンクする広告主リンクが１つ以上含まれている。
【００１８】
そして、閲覧者がリンク先メニュー中の広告主リンクを指定（クリックなど）すると、この広告主リンクに紐付けされた広告主システムの商品データベースをハイライトされた選択文字列で検索することを指示するクエリーが利用者端末から広告主システムに送信され、これに応答し、商品データベースの検索結果が広告主システムから利用者端末に送られてきて表示される。
【００１９】
このプロセスを閲覧者の立場で見ると、アフリエイター発信文書中の文字列を選択してメニュー中の広告主リンクをクリックすると、広告主の商品データベースを選択文字列で検索した結果が表示され、広告主の商品情報に触れることとなる。これが本発明の特徴的なアフィリエイト広告モデルの核心部分である。
【００２０】
もちろん、後述するように、上記のプロセスと並行して既存モデルと同様なトラッキングプロセスが働き、上記のようにして広告主の商品情報に触れた閲覧者がその後に広告成果ありと判定されるような行動をとったかどうかが追跡的に調べられ、広告成果による成果報酬の支払いに結びつくことがある。
【００２１】
＝＝＝発明の効果＝＝＝
ここまでの説明から明らかなように、この発明によるアフィリエイト広告モデルは、先に説明した既存モデルに付加的に実施して併用することができる。したがって広告主の立場では、広告媒体文書を閲覧して当該文書上の広告をクリックすると広告主サイトにリダイレクトされるという既存モデルの導線に加えて、この発明による新たな導線で閲覧者を広告主の商品情報に接触させることができ、アフィリエイト広告の利用価値を高めることができることとなり、しかも広告主システムを改造する必要性もないであろう。
【００２２】
アフリエイターの立場から見ると、アフリエイター発信文書中に広告枠を設定する必要がなく、文書中のすべての文章文字列が広告主情報への入口になり得ることから、なんの負担もなしに成果報酬の増加を期待することができる。ＡＳＰの立場でも、わずかな投資で手数料収入の増加を期待することができる。
【図面の簡単な説明】
【００２３】
【図１】利用者端末に表示されたアフリエイター発信文書中の文字列が選択されてリンク先メニューが付加表示された画面例
【図２】広告主の商品データベースが選択文字列で検索された結果が利用者端末に表示された画面例
【発明実施の態様】
【００２４】
＝＝＝ブラウザ閲覧モデルとアプリ閲覧モデル＝＝＝
この発明に係る新規なアフィリエイト広告モデルは、前述した既存のアフィリエイト広告モデルの場合と同様に、アフリエイター発信文書がウェブページであり、閲覧者は利用者端末ブラウザでウェブページを見ることを前提とした実施態様と、利用者端末アプリにより当該アプリに関連づけされたアフリエイターのサーバーにアクセスして文書を閲覧することを前提とした実施態様とがあり、両実施態様においてコンピューティング方法が少し相違する。
【００２５】
＝＝＝両態様に共通するコンピューティング方法＝＝＝
まずは２つの実施態様の差異を捨象し、この発明の核心をなす両態様に共通するコンピューティング方法（ソフトウエアによる情報処理の方法）について説明する。
【００２６】
この発明に係るコンピューティング方法は、ＡＳＰシステムと、アフリエイターにより発信された文書情報（アフィリエイト文書と記すことがある）を閲覧する利用者端末と、広告主により運用される広告主システムとが連携して実施するコンピューティングの方法である。
【００２７】
アフィリエイト文書が表示された利用者端末においては、この発明のコンピューティング方法を実施するための重要なソフトウエアである「特定プログラム」が実行可能となっている。前記の２つの実施態様の差異はこの「特定プログラム」の来歴の違いにあるところ、これについては後で説明する。
【００２８】
＝＝＝文字列選択とリンク先メニュー＝＝＝
アフィリエイト文書が表示された利用者端末において特定プログラムは、アフィリエイト文書の閲覧者が文書中の文字列を選択した際にリンク先メニューを文書画像に付加表示する処理を利用者端末プロセッサに実行させる。このリンク先メニューには、広告主システムにリンクする広告主リンクが１つ以上含まれている。
【００２９】
図１は、利用者端末における表示画面の具体例であり、「サラウンドヘッドフォンを使ってみる」と見出しのついた記事（アフィリエイト文書）が表示され、これを見ている閲覧者が記事中のある製品番号（文字列）「ＳＨ３８−ＡＢＣＤ」を選択した状態である。
【００３０】
図１に示すように、選択文字列はハイライトされ、ハイライト文字列に関連づけするように、周知のショートカットメニューと同様な形態で、リンク先メニューが表示されている。この例のリンク先メニューには５個の選択項目名が上下５段に並んで表記されている。この表示処理を行うように前記の特定プログラムが記述されている。
【００３１】
図１に例示したリンク先メニューの５個の選択項目のうち、上方の３個の選択項目がそれぞれ広告主リンクであり、下方の２個の選択項目はそれぞれ著名な汎用検索サイトへのリンクであり、この発明における広告主ではない。なお図１における表記中には登録商標が含まれている。
【００３２】
図１のリンク先メニューに例示した３個の広告主リンクに対応する広告主は、インターネットを通じて各種商品を販売している商人であり、それぞれがこの発明における広告主である。周知のとおり、こうした商品販売事業者が運用する大規模なクラウドシステム（広告主システムと記す）には商品販売サイト（広告主サイトと記す）などが構築されており、多くの人々がインターネットを通じて広告主サイトを訪問してショッピングなどをしている。
【００３３】
周知のとおり、図１に例示したような広告主（商品販売事業者）のシステムには、広告主サイトで取り扱っている商品の情報を集約した商品データベースが含まれており、サイト訪問者が検索窓に文字列を入力して商品データベースを検索し、検索結果を手がかりにして商品情報を吟味し、気に入った商品を購入するといったショッピング行動が日常的に行われている。
【００３４】
＝＝＝広告主リンクをクリック＝＝＝
この発明に係るコンピューティング方法においては、図１に例示した画面が表示されている利用者端末Ａにおいてアフィリエイト文書Ｂ中の文字列Ｃが選択されて広告主リンクＤが指定されると、特定プログラムは、この閲覧者の行動内容（文書Ｂ中の文字列Ｃを選択して広告主リンクＤを指定したことや、利用者端末や閲覧者の識別情報など）を報告する閲覧行動報告電文ＥをＡＳＰシステムに送信する処理を利用者端末プロセッサに実行させる。
【００３５】
閲覧行動報告電文Ｅを受信したＡＳＰシステムは、ユニークなトラッキングキーを生成して利用者端末Ａに送信するとともに、閲覧行動内容を示すデータと当該トラッキングキーを対応づけした誘導記録を生成して保存する。ＡＳＰシステムのサーバーはそのようにプログラムされている。
【００３６】
トラッキングキーを受信した利用者端末Ａにおいて特定プログラムは、広告主リンクＤに紐付けされた広告主システムの商品データベースを文字列Ｃで検索することを指示するクエリーを広告主システムに送信し、広告主システムから検索結果を受信して利用者端末Ａに表示する処理を実行させる。この際に、トラッキングキーを利用者端末から広告主サイトに伝えるトラッキング方式１と、伝えないトラッキング方式２が周知である。
【００３７】
利用者端末の画面に図１の表示がなされており、閲覧者が表示されたリンク先メニュー中の１番上の広告主リンクをクリックすると、このリンクに該当する広告主（商品販売事業者）システムの商品データベースにクエリーが送信され、広告主システムからの応答を受けて、利用者端末の画面にはたとえば図２に例示する検索結果ページが表示される。このプロセスが特定プログラムの記述に従って実行される。
【００３８】
図２に例示した検索結果ページが表示されている利用者端末は、一般のＥＣサイトで商品データベースを検索した場合と同様な状態になっており、リンク先メニューから選択した広告主サイトに誘導されて当該広告主サイト内において検索結果ページを見ているのである。したがって、この検索結果ページに含まれるいろいろなリンクを辿ることで広告主サイト内を自由に遷移することができ、通常のＥＣサイトでの買い物と同様に、検索結果を手がかりにして商品情報を吟味して気に入った商品を購入することができる。
【００３９】
＝＝＝トラッキングキーによる広告成果の調査＝＝＝
広告主システムが閲覧者のその後の行動をトラッキングして広告成果があったか否かを追跡的に調査する仕組みについては、既存のアフィリエイト広告モデルにおいて実施されている、当業者周知のいくつかのアルゴリズムを適宜に採用すればよく、先に提示した参考文献１〜８にもそうした技術情報が開示されている。
【００４０】
＝＝＝ＡＳＰシステムによる成果報酬の支払い事務＝＝＝
広告主システムにおいて、閲覧者のその後の行動に基づいて広告成果ありと判定した場合、既存のアフィリエイト広告モデルと同様に、この閲覧者の利用者端末から取得したトラッキングキーを含む成果報告電文が作成されてＡＳＰシステムに送信される。これは前述したトラッキング方式１であり、トラッキング方式２の場合はトラッキングキーを含む成果報告電文は広告主システムからの情報に基づいて利用者端末経由でＡＳＰシステムに送信される。
【００４１】
ＡＳＰシステムは、広告主システムから直接または利用者端末経由でトラッキングキーを含む成果報告電文を受信した場合、保存してある誘導記録中からトラッキングキーが一致する誘導記録を抽出し、その誘導記録により特定されるアフリエイターに対して該当の広告主から成果報酬を支払うための処理を実行する。このプロセスも既存モデルと同様でよい。
【００４２】
＝＝＝その他の実施態様＝＝＝
以上説明したように、この発明の基本となるコンピューティングにおいては、利用者端末において閲覧者がアフィリエイト文書中の文字列を選択した際に、特定プログラムによりリンク先メニューが表示されるところ、以下に説明するアルゴリズムを採用することにより、このリンク先メニューの内容を選択文字列によって変化させることができる。つまり、リンク先メニュー中にどの広告主リンクをどの順番で表記するのかという要素を変化させたり、あるいは広告主リンク表記のテキスト表現やデザインなどの要素を変化させたりする。
【００４３】
この機能はつぎのように実現することができる。利用者端末において閲覧者がアフィリエイト文書中の文字列を選択した際、前記の特定プログラムがその選択文字列をＡＳＰシステムに送信する。ＡＳＰシステムには、文字列に対応づけられたメニュー内容指定情報を抽出するアルゴリズムが存在し、利用者端末から選択文字列を受信すると、その文字列に対応づけされたメニュー内容指定情報を利用者端末に送信する。利用者端末の特定プログラムは、受信したメニュー内容指定情報に基づいてリンク先メニューを生成して表示するように記述しておく。
【００４４】
さらに進んで、ＡＳＰシステムにおいて、利用者端末から受信した選択文字列に対応するメニュー内容指定情報を決定するためのアルゴリズムに学習機能を付加しておき、利用者端末から受信する前記の閲覧行動報告電文および広告主システムから受信する前記の成果報告電文の内容を統計的に分析したビッグデータに基づいて前記アルゴリズムを更新するようにプログラムしておく。
【００４５】
これにより、選択文字列と広告主リンクと広告成果の実績との関係性に基づいて、「この選択文字列であればこの広告主リンクがもっとも広告成果に結びつきやすい」といった分析を可能とし、この分析結果に基づいて、リンク先メニューの最上段に表記する広告主リンクを決定したり、広告主リンク表記の順番や大きさやデザインを決定し、その決定を反映したメニュー内容指定情報を利用者端末に送信するコンピューティングを実施する。
【００４６】
また、つぎの機能を付加することができる。先に説明したように、この発明のアフィリエイト広告モデルは既存のアフィリエイト広告モデルのコンピューティング環境において付加的に実施されることが現実的である。したがって既存のアフィリエイト広告モデルを利用する多くの広告主がＡＳＰシステムに登録されており、この広告主が出稿した「この広告」が利用者端末上でクリックされたとき、利用者端末を「この広告主サイトＵＲＬ」にリダイレクトするという対応関係が設定されている。
【００４７】
同様にして、この発明のアフィリエイトモデルにおいて、利用者端末において「この文字列」が選択されたとき、「この広告主のこのランディングページＵＲＬ」にリンクする「広告主リンクのこの表記文字列」をリンク先メニューの選択肢として掲示する、という対応関係を集約した広告主リンクテーブルを作成してＡＳＰシステムに設定しておく。なお、ここにおいて「この広告主のこのランディングページＵＲＬ」および「広告主リンクのこの表記文字列」のことを広告主リンク情報と記すことがある。
【００４８】
そして、ＡＳＰシステムが利用者端末から選択文字列を受信した際、その選択文字列が広告主リンクテーブルに登録された文字列と一致した場合、この一致した文字列に対応づけされた広告主リンク情報を選択肢として含めたメニュー内容指定情報を生成し、利用者端末の特定プログラムに送達させる。これにより、たとえば、閲覧者がアフィリエイト文書中の「高輪特許情報研究所」という文字列を選択した際、リンク先メニュー中に「株式会社高輪特許情報研究所ホームページ」と表記された広告主リンクが掲示され、閲覧者がこの広告主リンクをクリックすると該当ホームページのトップページに利用者端末がリダイレクトされる、といった動作を実現することができる。
【００４９】
すでに説明したように、この発明を適用したアフィリエイト広告モデルにおいては、ＡＳＰシステムは、利用者端末から受信する前述した閲覧行動報告電文および広告主システムから受信する成果報告電文の内容を統計的に分析したビッグデータを得ることができるので、これに基づいて広告主別やアフィリエイター別の分析レポートを作成することができ、この分析レポートを該当の広告主やアフィリエイターに提示するサービスを実施することができる。たとえば広告主向けには「この文字列を選択した人は御社のこの商品に関心を示す傾向がある」といった分析レポートを作成することができる。またアフィリエイター向けには「この文字列は広告主Ｘでの検索に結びつく傾向があり成約もあった」といった分析レポートを作成することができる。
【００５０】
＝＝＝発明特定事項＝＝＝
以上説明した技術事項を整理すると、以下の事項により特定される発明１〜発明５を把握することができる。
【００５１】
《発明１》
つぎの事項（１）〜（７）により特定される方法。
（１）アフィリエイトサービスプロバイダ（ＡＳＰ）システムと、アフリエイターにより発信された文書情報（アフィリエイト文書）を閲覧する利用者端末と、広告主により運用される広告主システムとが連携して実施するコンピューティングの方法であること
（２）アフィリエイト文書が表示された利用者端末において特定プログラムは、アフィリエイト文書の閲覧者が文書中の文字列を選択した際にリンク先メニューを文書画像に付加表示すること
（３）リンク先メニューには、広告主システムにリンクする広告主リンクが１つ以上含まれていること
（４）利用者端末Ａにおいてアフィリエイト文書Ｂ中の文字列Ｃが選択されて広告主リンクＤが指定されると、特定プログラムは、この閲覧者の行動内容を報告する閲覧行動報告電文ＥをＡＳＰシステムに送信すること
（５）閲覧行動報告電文Ｅを受信したＡＳＰシステムは、ユニークなトラッキングキーを生成して利用者端末Ａに送信するとともに、閲覧行動内容を示すデータと当該トラッキングキーを対応づけした誘導記録を生成して保存すること
（６）トラッキングキーを受信した利用者端末Ａにおいて特定プログラムは、広告主リンクＤに紐付けされた広告主システムの商品データベースを文字列Ｃで検索することを指示するクエリーを広告主システムに送信し、広告主システムから検索結果を受信して利用者端末Ａに表示すること
（７）ＡＳＰシステムは、広告主システムから直接または利用者端末経由でトラッキングキーを含む成果報告電文を受信した場合、保存してある誘導記録中からトラッキングキーが一致する誘導記録を抽出し、その誘導記録により特定されるアフリエイターに対して該当の広告主から成果報酬を支払うための処理を実行すること
【００５２】
《発明２》
つぎの事項（８）により特定される発明１に記載の方法。
（８）発明特定事項（２）のプロセスにおいて、特定プログラムは閲覧者による選択文字列をＡＳＰシステムに送信し、ＡＳＰシステムは受信した選択文字列に対応づけられたメニュー内容指定情報を特定プログラムに送達し、特定プログラムは当該メニュー内容指定情報に基づいてリンク先メニューを利用者端末に表示すること
【００５３】
《発明３》
つぎの事項（９）により特定される発明２に記載の方法。
（９）ＡＳＰシステムは、利用者端末から受信する閲覧行動報告電文および広告主システムから受信する成果報告電文の内容に基づいて、受信した選択文字列に対応するメニュー内容指定情報を決定するためのアルゴリズムを更新すること
【００５４】
《発明４》
つぎの事項（10）により特定される発明２または３に記載の方法。
（10）ＡＳＰシステムは、広告主サイトの所定ページへのリンク情報と文字列との対応づけを複数記述した広告リンクテーブルを備え、特定プログラムから受信した選択文字列が広告リンクテーブルのいずれかの文字列と一致した場合、当該一致した文字列に対応づけされた広告主サイトリンク情報を選択肢として含めたメニュー内容指定情報を特定プログラムに送達すること
【００５５】
《発明５》
つぎの事項（11）により特定される発明１に記載の方法。
（11）ＡＳＰシステムは、利用者端末から受信する閲覧行動報告電文および広告主システムから受信する成果報告電文の内容に基づいて、広告主別の選択文字列分析レポートまたはアフリエイター別の選択文字列分析レポートを作成すること
【００５６】
＝＝＝ブラウザ閲覧モデル＝＝＝
アフリエイターが発信する文書はウェブページであり、一般の閲覧者はInternet ExplorerやGoogle Chromeや Safariなどの汎用ブラウザによりこれを見るという態様においては、この発明に係るソフトウエアの中心的な存在であるJavaScriptなどで記述された特定プログラムをＡＳＰシステムに蔵置しておき、アフィリエイト文書に埋め込んだタグが利用者端末ブラウザで処理されると、タグの記述に従って利用者端末からＡＳＰシステムにプログラム要求が送信され、この要求に応じてＡＳＰシステムに蔵置されている特定プログラムが利用者端末に送達されるというコンピューティングを実施するように仕組んでおく。
【００５７】
以上の説明から明らかなように、ブラウザ閲覧モデルに関しては、つぎの事項により特定される発明６と７を把握することができる。
《発明６》
つぎの事項（12）により特定される発明１に記載の方法。
（12）特定プログラムは、利用者端末がアフィリエイト文書を取得した際、当該アフィリエイト文書に埋め込まれたタグの記述に従って利用者端末からＡＳＰシステムにプログラム要求が送信され、この要求に応じてＡＳＰシステムから利用者端末に送達されるものであること
《発明７》
発明６に記載のコンピューティングの方法を実施するようにプログラムされ、利用者端末に送信する特定プログラムを記憶しているＡＳＰシステム。
【００５８】
＝＝＝アプリ閲覧モデル＝＝＝
たとえば、スマートフォンやタブレット端末にインストールしたニュースアプリからニュース配信サイトにアクセスして配信記事を閲覧するというような、汎用ブラウザを用いずにインターネット上のコンテンツを閲覧する態様にも本発明のアフィリエイト広告モデルは適用可能である。この態様においては、この発明に係るソフトウエアの中心的な存在である前記の特定プログラムは、アフィリエイト文書を閲覧するために利用者端末にインストールされるアプリケーションプログラム（たとえばニュースアプリである）の一部モジュールとして記述しておけばよい。
【００５９】
以上の説明から明らかなように、アプリ閲覧モデルに関しては、つぎの事項により特定される発明８〜１０を把握することができる。
《発明８》
つぎの事項（13）により特定される発明１に記載の方法。
（13）特定プログラムは、アフィリエイト文書を閲覧するために利用者端末にインストールされるアプリケーションプログラムに含まれていること
《発明９》
発明８に記載のコンピューティングの方法を実施するために利用者端末にインストールされる、特定プログラムを含んだアプリケーションプログラム。
《発明10》
つぎの事項（14）により特定される発明９に記載のアプリケーションプログラム。
（14）アプリケーションプログラムは、これが動作する利用者端末をインターネット上の特定サーバーと通信させ、特定サーバーからアフィリエイト文書を取得して表示させる処理を実行すること
【図１】
2019003287.tif 000003
【図２】
2019003287.tif 000004